(57)【特許請求の範囲】
【請求項１】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記ハウジングには外部空気を吸引する第２吸込口が形成されており、
前記第２空気流路は、前記第２吸込口から吸い込まれた空気を流通させる
ことを特徴とする電池掃除機。
【請求項２】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記第２空気流路には、合流部から前記第１空気流路へ流出する空気量を調節する流量調節バルブが設けられている
ことを特徴とする電池掃除機。
【請求項３】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記第２空気流路は、前記第１空気流路における前記ダストカップの下流側で前記第１空気流路から分岐して設けられている
ことを特徴とする電池掃除機。
【請求項４】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記ファンの下流側で、前記第１流路と接続されて第３空気流路が設けられており、前記第３空気流路は、前記第１空気流路を流通した空気を前記第１吸引口へ戻すように設けられている
ことを特徴とする電池掃除機。
【請求項５】
前記ハウジングには外部空気を吸引する第２吸込口が形成されており、
前記第２空気流路は、前記第２吸込口から吸い込まれる空気を流通させ、
前記第３空気流路には、前記第２吸込口から吸い込まれる空気量に相当する空気量を外部へ排出する分岐路が形成されている
ことを特徴とする請求項４に記載の電池掃除機。
【請求項６】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記合流部において、前記第２空気流路の端部は、前記第１空気流路の内壁面と同一面を形成している
ことを特徴とする電池掃除機。
【請求項７】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記合流部は、使用状態において重力方向に対し前記第１空気流路の上部側に位置している
ことを特徴とする電池掃除機。
【請求項８】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記合流部における前記第２空気流路における上流側の端部に、前記第１空気流路に突出した突起部が設けられている
ことを特徴とする電池掃除機。
【請求項９】
二次電池を有する電池パックと、
前記電池パックを内部に収納した電池パック収納部と、
前記電池パックによって回転駆動されるモータと、
前記モータによって駆動され外部から空気を吸引するファンと、
前記ファンによって吸引された空気中の塵等を分離貯留するダストカップと、
内部に前記電池パック収納部、前記モータ、前記ファン及び前記ダストカップを収容し、外部空気を吸引する第１吸込口が形成されたハウジングと、
前記ファンによって吸引される空気を前記ダストカップを経て前記モータに導く第１の空気流路と、
前記電池パックを冷却する空気を前記電池パックを経て流し、前記ファンの上流側で前記第１の空気流路と合流部で合流する第２の空気流路と、
を備え、
前記合流部において、前記第２空気流路は、
第１空気流路を流れる空気の流れ方向に対し大きい角度をなし前記第１空気流路内に突出する大角部と、
前記大角部に下流側で接続され前記流れ方向に小さな角度をなし前記第１空気流路へ前記流れ方向に向かって開口する開口部を有する小角部と
を有する
ことを特徴とする電池掃除機。
【請求項１０】
前記第２空気流路には、前記第２吸込口から吸い込まれる空気が通るフィルタが設けられている
ことを特徴とする請求項１又は５に記載の電池掃除機。
【発明の詳細な説明】
【０００１】
【発明の属する技術分野】
本発明はリチウムイオン二次電池やニッケル水素二次電池等の電池により駆動される電池掃除機に係り、特に電池パックの放熱構造に関する。
【０００２】
【従来の技術】
図１３は従来の技術に関わる概略断面図である。掃除機のケーシング（ハウジング）１の内部に設けられた電池パック収納部２は、電池パック３の交換を容易にするために、ケーシング１が外側からへこんだ形状の窪みとねじで取り外し可能な蓋で構成されている。この中に収納される電池パック３は複数の二次電池４を熱収縮チューブで束ねたものであり、ファン５が接続されたモータ７やその制御回路を動作させる。電池パック３は掃除機使用時に電池４の内部抵抗や電池４間を接続するリード線の抵抗などに起因する熱を発生する。モータ７を駆動する際には大きな電流が流れ、発熱量も大きくなる。電池４は充放電効率を高くするためには、すなわち電池４に蓄えたエネルギをなるべく多く取り出すためには、電池パック３の過度の温度上昇を抑制しなければならない。そこで、発熱する電池パック３は冷却されなければならないため、電池パック収納部２のダストカップ９側の一部にはスリット状の孔１０が複数設けられている。また、塵芥を取り込むために使用された空気の流れをモータ７に導いて、モータ７の冷却を行った後の排気を電池パック収納部２の周辺に流している。電池パック３は円筒形の二次電池４が熱収縮チューブにより束ねられ、端部より電力を取り出すための配線が引き出されている。ファン５によってホース１４を介して吸引された塵等を含む空気はダストカップ９内に導かれ、フィルタ１７を経てダストカップ９外へ排出され、モータ７の近傍へ送られモータ７のコイル等の空冷に用いられる。モータ７の空冷に用いられた空気はハウジング１の端部に形成された排気口１２から外部へ排気される。ケーシング１の底部には車輪１９，２０が設けられている。
【０００３】
【発明が解決しようとする課題】
このような従来の構成では、ファン５から送られモータ７を冷却した後の空気が、電池パック収納部２に送られ、電池パック３を冷却するようにしていた。このように、モータ７を冷却する際に温度上昇した空気で電池パック３を冷却していたため、電池パック３を効率的に冷却できないという問題があった。
【０００４】
そこで、本発明の目的は、上記従来技術の有する問題を解消し、発熱する電池パックを効率的に空冷可能な電池掃除機を提供することである。
【０００５】
【課題を解決するための手段】
上記の目的を達成するために、本願発明に係る電池掃除機は、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記ハウジングには外部空気を吸引する第２吸込口が形成されており、前記第２空気流路は、前記第２吸込口から吸い込まれた空気を流通させることを特徴とする。
【０００７】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記第２空気流路には、合流部から前記第１空気流路へ流出する空気量を調節する流量調節バルブが設けられていることを特徴とする。
【０００８】
また、前記第２空気流路は、前記第１空気流路における前記ダストカップの上流側で前記第１空気流路から分岐して設けられていることを特徴とする。
【０００９】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記第２空気流路は、前記第１空気流路における前記ダストカップの下流側で前記第１空気流路から分岐して設けられていることを特徴とする。
【００１０】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記ファンの下流側で、前記第１流路と接続されて第３空気流路が設けられており、前記第３空気流路は、前記第１空気流路を流通した空気を前記第１吸引口へ戻すように設けられていることを特徴とする。
【００１１】
また、前記ハウジングには外部空気を吸引する第２吸込口が形成されており、前記第２空気流路は、前記第２吸込口から吸い込まれる空気を流通させ、前記第３空気流路には、前記第２吸込口から吸い込まれる空気量に相当する空気量を外部へ排出する分岐路が形成されていることを特徴とする。
【００１２】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記合流部において、前記第２空気流路の端部は、前記第１空気流路の内壁面と同一面を形成していることを特徴とする。
【００１３】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記合流部は、使用状態において重力方向に対し前記第１空気流路の上部側に位置していることを特徴とする。
【００１４】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記合流部における前記第２空気流路における上流側の端部に、前記第１空気流路に突出した突起部が設けられていることを特徴とする。
【００１５】
また、複数の二次電池を有する電池パックと、前記電池パックを内部に収納した電池パック収納部と、前記電池パックによって回転駆動されるモータと、前記モータによって駆動され外部から空気を吸引するファンと、前記ファンによって吸引された空気中の塵等を分離貯留するダストカップと、内部に前記電池パック収納部、前記モータ、前記ファン及び前記ダストカップを収容し、外部空気を吸引する第１吸込口が形成されたハウジングと、前記ファンによって吸引される空気を前記ダストカップを経て前記モータに導く第１の空気流路と、前記電池パックを冷却する空気を前記電池パックを経て流し、前記ファンの上流側で前記第１の空気流路と合流部で合流する第２の空気流路と、を備え、前記合流部において、前記第２空気流路は、第１空気流路を流れる空気の流れ方向に対し大きい角度をなし前記第１空気流路内に突出する大角部と、前記大角部に下流側で接続され前記流れ方向に小さな角度をなし前記第１空気流路へ前記流れ方向に向かって開口する開口部を有する小角部とを有することを特徴とする。
【００１６】
また、前記第２空気流路には、前記第２吸込口から吸い込まれる空気が通るフィルタが設けられていることを特徴とする。
【００１７】
上述の本発明において、電池パックを経てファンの上流側で第１の空気流路と合流部で合流するように設けられた第２空気流路に流れる空気は、未だモータを冷却するために用いられた空気ではないので、第２空気流路において合流部よりも上流側にある電池パックを未だモータに供給されない未加熱の空気で電池パックを効率的に冷却することができる。
【００１８】
【発明の実施の形態】
以下に図面を参照して本発明の実施の形態について説明する。
図２は本発明の第１の実施の形態を示す概略断面図である。電池掃除機は、複数の二次電池４を束ねて電線を取り付けた電池パック３と、電池パック３を内部に収納した電池パック収納部２と、電池パック３によって回転駆動されるモータ７と、モータ７によって駆動され外部から空気を吸引するファン５と、ファン５によって吸引された空気中の塵等を分離貯留するダストカップ９と、内部に電池パック収納部２、モータ７、ファン５及びダストカップ９を収容し、外部空気を吸引する吸込口３０が形成されたするハウジング１と、ファン５によって吸引される空気をダストカップ９を経てモータ７に導く第１空気流路３２と、電池パック３を冷却する空気を流通させ電池パック３を経てモータ７の上流側で第１空気流路３２と合流部３４で合流する第２空気流路３６とを備えている。
【００１９】
図１は、第１空気流路３２と第２空気流路３６との関係を示すブロック図である。
【００２０】
ファン５によってホース１４を介して吸込口３０から吸引された塵等を含む空気はダストカップ９内に導かれ、フィルタ１７を経てダストカップ９外へ排出され、第１空気流路３２を介してモータ７の近傍へ送られ、モータ７のコイル等の空冷に用いられる。モータ７の空冷に用いられた空気１は、ハウジング１の端部に形成されて図示しない排気口から外部へ排気される。ここで、第１空気流路３２は、吸込口３０からダストカップ９、ダストカップ９からファン５、ファン５から図示しない排気口へ至る流路である。
【００２１】
ケーシング１の底部には外気を吸引する第２吸込口３８が形成されている。第２吸込口３８の近傍には電池パック収納部２が設けられている。電池パック収納部２の上部には第２空気流路３６が連通している。第２吸込口３８から電池パック３を冷却するための空気がファン５によって吸引される。第２吸込口３８から吸引された空気は、第２吸込口３８の上部に配設されたフィルタ４０を通り、電池パック収納部２に形成された孔からその内部を通り電池パック３に接触して電池パック３を冷却する。そして、電池パック収納部２内の下方から上方へ導かれた空気は、電池パック収納部２の上部に連通した第２空気流路３６を通り、合流部３４を経て第１空気流路３２へ流出する。ここで、第２空気流路３６は、第２吸込口３８から電池パック収納部２の下部に至り、電池パック収納部２の下部から電池パック収納部２の内側を通って電池パック３に至り、さらに電池パック収納部２の上部に至り、電池パック収納部２の上部から合流部３４に至る流路である。
【００２２】
次に、図３乃至図５を参照して、第１空気流路３２と第２空気流路３６とが合流する位置にある合流部３４について説明する。
【００２３】
図３に合流部３４の第１実施例を示す。第２空気流路３６は、第１空気流路３２内を流れる空気の流れ方向Ａに沿う方向に傾斜している。合流部３４における第２空気流路３６の端部４２，４３は、第１空気流路３２の内壁面と同一面を形成している。
【００２４】
また、合流部３４は、掃除機の使用状態で重力方向に対し第１空気流路３２における上部側に位置している。
【００２５】
第２空気流路３６が流れ方向Ａに沿う方向に傾斜しているので、第２空気流路３６から第１空気流路３２へ流出する空気は、第１空気流路３２に吸引されるように、小さい流れ抵抗で第１空気流路３２に流れる空気と合流することができる。この結果、第２空気流路３６に空気を流通させるために分与するエネルギを小さくすることができる。また、端部４２，４３は、第１空気流路３２の内壁面と同一面を形成しているので、合流部３４で複雑な空気流を形成しないようにでき例えば塵芥が第２空気流路３６へ逆流するようなことを回避することができる。また、合流部３４は掃除機の使用状態で重力方向に関し第１空気流路３２における上側に形成されているので、合流部３４に滞留した塵芥を重力作用により落下させ排気しやすくすることができる。
【００２６】
次に、図４に合流部３４の第２実施例を示す。第２空気流路３６が流れ方向Ａに沿う方向に傾斜している点は図３の場合と同じであるが、上流側の端部には第１空気流路３２に向かって突起する突起部４４が設けられている。突起部４４の下流側端面４４ａは末広がり的に形成されている。
【００２７】
突起部４４の存在によって突起部４４の上流側部４５は圧力が高くなり、相対的に合流部３４の圧力は低くなる。この結果、合流部３４に向かって第２空気流路３６を通る空気を効果的に第１空気流路３２へ吸引させることができる。また、合流部３４の下流側の端部４３が、例えば製造誤差に起因して第１空気流路３２の内壁面に対し多少の凹凸がある場合においても、上流側に突起部４４が設けられているので、端部４３の近傍では圧力が低くなり、端部４３に塵芥が滞留することを防止することができる。
【００２８】
次に、図５に合流部３４の第３実施例を示す。第３実施例の合流部３４は、流れ方向Ａと大きい角度、例えば９０度の角度をなし第１空気流路３２内に突出する大角部４７と、大角部４７に下流側で繋がり流れ方向Ａに小さな角度、例えば０度の角度をなし第１空気流路３２へ流れ方向Ａに向かって開口する開口部５０を有する小角部４８とから構成されている。流れ抵抗を小さくするため、大角部４７の外壁端部や小角部４８の開口部５０近傍の外壁端部にはテーパが形成されている。
【００２９】
大角部４７で構成される流路の下流側端部領域４９の圧力は、空気の流速は小さくなるので高圧になる。また、開口部５０の近傍では低圧になる。この結果、第２空気流路３６を流れる空気を開口部５０から効率的に流出させることができる。
【００３０】
以上、図１乃至図５に記載された第１の実施の形態によれば、電池パック３を冷却する空気を流通させ電池パック３を経てモータ７の上流側で第１空気流路３２と合流部３４で合流する第２空気流路３６を設けたので、ファン５によって吸引される空気であって未だモータ７に供給されない未加熱の空気で電池パック３を効率的に冷却することが可能になる。
【００３１】
次に、図６を参照して本発明の第２の実施の形態について説明する。
図１に示した場合と異なり、第２空気流路３６において電池パック３と合流部３４との間に第２空気流路３６から合流部３４へ流出する空気量を調節する流量調節バルブ５２が設けられている。
【００３２】
第２の実施の形態によれば、第２空気流路３６に流量調節バルブ５２が設けられているので、以下のような効果を奏することができる。
【００３３】
電気掃除機の使用開始当初においては、未だ電池パック３の加熱程度は低いので、流量調節バルブ５２を閉じ、ファン５の吸引力の全てを第１空気流路３２に流通する空気の吸引にあてることができる。ある程度電池パック３が加熱された段階で流量調節バルブ５２を開き、第２空気流路３６に空気を流し電池パック３の空冷を図る。なお、流量調節バルブ５２を開く場合には、電池パック３の加熱程度に応じてバルブ開度を調節することも可能である。
【００３４】
上述のように、電池パック３の加熱程度に応じて、流量調節バルブ５２のバルブを開閉することにより、電気掃除機に供給可能な電気的エネルギーを、第１空気流路３２を介した塵芥の収集と第２空気流路３６を介した電池パック３の冷却とに適正に分配することができる。
【００３５】
次に、図７を参照して本発明の第３の実施の形態について説明する。
図７に示すように、第２空気流路３６は、第１空気流路３２におけるダストカップ９の上流側にある分流部５４において第１空気流路３２から分岐し、ダストカップ９の下流部の合流部３４において第１空気流路３２に合流するように形成されている。分流部５４から合流部３４に至る第２空気流路３６に電池パック３が配設されている。第２空気流路３６には、図６に示した場合と同様に流量調節バルブ５２が設けられている。
【００３６】
第３の実施の形態によれば、第２空気流路３６はダストカップ９の上流側で第１空気流路３２から分岐して形成されているので、ダストカップ９に塵芥が多量に堆積しダストカップ９を経て流出する空気量が少ない場合においても、ダストカップ９における流路抵抗の影響を受けることなく、第２空気流路３６を流れる空気量を確保でき、加熱された電池パック３を確実に空冷することができる。また、第２空気流路３６は第１空気流路３２から分流部５４で分岐して形成されているので、吸込口３０のみで足り図２に示したような吸込口３８を新たに設ける必要をなくすることができる。
【００３７】
次に、図８を参照して本発明の第４の実施の形態について説明する。
図８に示すように、第２空気流路３６は、第１空気流路３２におけるダストカップ９の下流側にある分岐部５５において第１空気流路３２から分岐し、分流部５５よりもより下流側にある合流部３４において第１空気流路３２に合流するように形成されている。分流部５５から合流部３４に至る第２空気流路３６に電池パック３が配設されている。
【００３８】
分流部５５から合流部３４に至る第２空気流路３６に電池パック３を配設する例として、例えば、図１１に示すように、第１空気流路３２を太く形成し、第２空気流路３６を第１空気流路３２内にその一部として形成してもよい。電池パック３は第２空気流路３６内に配置する。
【００３９】
第４の実施の形態では、分流部５５はダストカップ９の下流側にあるのでダストカップ９を経た空気で電池パック３を冷却することになる。このため、第２空気流路３６がダストカップ９の上流側で分岐した図７に示す場合に比べて、空冷用の空気はダストカップ９によって塵芥が捕獲されているので、洗浄度の点で優る。この場合、例えば、上述したように電池パック３を第１空気流路３２内に配置するような極めて簡単な構成をとるだけで、未だモータ７に供給されない未加熱の空気で電池パック３を効率的に冷却することが可能になる。
【００４０】
次に、図９を参照して本発明の第５の実施の形態について説明する。
【００４１】
図９にブロック図として示す電気掃除機は、無排気型の掃除機である点で図１に示すものと異なる。ファン５で吸引された空気は第３空気流路５６により吸引口３０へ戻され循環させられる。第３空気流路５６はファン５の下流側で第２空気流路３６に接続され吸引口３０に至る流路である。第３空気流路５６は、例えば、図１２に示すように、第１空気流路３２の外側に同軸状に形成することができる。第１空気流路３２と第３空気流路５６とには、逆向きに空気が流れる。
【００４２】
また、第２空気流路３６は図１に示した場合と同様に形成されており、第２吸込口３８から電池パック収納部２及び電池パック３を経て合流部３４に至る流路である。
【００４３】
第３空気流路５６には、第２吸引口３０から吸引された余剰の空気を図示しない排気口から外部へ排出するために第３空気流路５６から分岐して形成された分岐路５８が設けられている。
【００４４】
第５の実施の形態によれば、分岐路５８が形成されているので、電池パック３を冷却するために第２吸引口３０から吸引した空気の流量分を分岐路５８から外部へ排出することができる。この結果、無排気型の掃除機においても、未だモータ７に供給されない未加熱の空気で電池パック３を効率的に冷却することが可能になる。
【００４５】
次に、図１０を参照して本発明の第６の実施の形態について説明する。
【００４６】
図１０にブロック図として示す電気掃除機は、無排気型の掃除機である点で図８に示すものと異なる。ファン５で吸引された空気は第３空気流路５６により吸引口３０へ戻され循環させられる。第３空気流路５６はファン５の下流側で第１空気流路３２に接続され吸引口３０に至る流路である。図９に示す場合と異なり、第３空気流路５６には、分岐路５８は形成されていない。また、第２空気流路３６は図８に示した場合と同様に形成されている。
【００４７】
第６の実施の形態によれば、外部から吸引される空気は吸引口３０から吸引される空気だけであり、その空気を第３空気流路５６によって吸引口３０に戻すことにより、完全に無排気型である掃除機を形成することができ、未だモータ７に供給されない未加熱の空気で電池パック３を効率的に冷却することが可能になる。また、図９の場合のように分岐路５８を形成する必要がない。
【００４８】
【発明の効果】
以上説明したように、本発明の構成によれば、ファンの上流側で第１の空気流路と合流部で合流する第２の空気流路を設けたので、未だモータに供給されない未加熱の空気で電池パックを効率的に冷却することができる。
【図面の簡単な説明】
【図１】本発明の電池掃除機の第１の実施の形態を示すブロック図。
【図２】本発明の電池掃除機の第１の実施の形態を示す縦断面図。
【図３】本発明の電池掃除機の合流部の第１実施例を示す断面図。
【図４】本発明の電池掃除機の合流部の第２実施例を示す断面図。
【図５】本発明の電池掃除機の合流部の第３実施例を示す断面図。
【図６】本発明の電池掃除機の第２の実施の形態を示すブロック図。
【図７】本発明の電池掃除機の第３の実施の形態を示すブロック図。
【図８】本発明の電池掃除機の第４の実施の形態を示すブロック図。
【図９】本発明の電池掃除機の第５の実施の形態を示すブロック図。
【図１０】本発明の電池掃除機の第６の実施の形態を示すブロック図。
【図１１】第４の実施の形態における第１空気流路と第２空気流路の関係の一例を示す図。
【図１２】第５の実施の形態における第１空気流路と第３空気流路の関係の一例を示す図。
【図１３】従来の電池掃除機の（ｂ）におけるＡ−Ａにおける横断面図（ａ）と縦断面図（ｂ）。
【符号の説明】
１  ハウジング
２  電池パック収納部
３  電池パック
４  二次電池
５  ファン
７  モータ
９  ダストカップ
３２  第１空気流路
３０  吸引口
３８  第２吸引口
３４  合流部
３６  第２空気流路
４４  突起部
５２  流量調節バルブ
５４，５５  分流部
５６  第３空気流路
【図１】
0003658570.tif 000002
【図２】
0003658570.tif 000003
【図３】
0003658570.tif 000004
【図４】
0003658570.tif 000005
【図５】
0003658570.tif 000006
【図６】
0003658570.tif 000007
【図７】
0003658570.tif 000008
【図８】
0003658570.tif 000009
【図９】
0003658570.tif 000010
【図１０】
0003658570.tif 000011
【図１１】
0003658570.tif 000012
【図１２】
0003658570.tif 000013
【図１３】
0003658570.tif 000014